(57)【要約】シーンデータコンテンツと関連して１以上のコンテンツに関連するリンクを自動的に含む方法が提供される。当該方法は、（ａ）  （ｉ）データコンテンツを読取り及び／書き込みするデータ記憶手段、（ｉｉ）シーンからオーディオ及び／又はビジュアルの内容を感知し、対応するシーンデータコンテンツを発生する感知手段、（ｉｉｉ）シーンの近くにある装置の空間的な位置及び／又はシーンのアイデンティティ（ＩＤ）を識別するのに使用するための識別手段、（ｉｖ）データ記憶手段、感知手段及び識別手段の動作を調整する計算手段を有する記録装置を提供するステップ、（ｂ）１以上の空間的な位置及び／又はシーンのＩＤを対応するリンク可能なデータコンテンツと関連付けるために発せられるリンクデータを含むようにデータ記憶手段を調整するステップ、（ｃ）所望のシーンに近接して当該装置を作動し、そこからオーディオ及び／ビジュアルの内容を受け、対応する所望のシーンデータコンテンツを生成するステップ、（ｄ）前記識別手段を使用して、所望のシーンに近接した当該装置の空間的な位置及び／又は所望のシーンのＩＤを判定するステップ、（ｅ）ステップ（ｄ）で判定された空間的な位置及び／又はＩＤに関連するリンクデータにおける１以上のリンクを識別し、それらを、前記ステップ（ｃ）から導出された所望のシーンデータコンテンツ、及び前記ステップ（ｄ）からの空間的な位置及び／又はＩＤの少なくとも１つと共に前記記憶手段に自動的に記録するステップとを含む。１以上のリンクは、最終的な複合的なデータコンテンツを発生するため、シーンデータと対応するリンク可能なデータコンテンツとを含むように同時に、及び／又は続いて発生される。
2007528056.tif 000002
【特許請求の範囲】
【請求項１】
シーンデータコンテンツと関連して１以上のコンテンツに関連するリンクを自動的に含む方法であって、
当該方法は、
（ａ）  （ｉ）データコンテンツを読取り及び／又は書き込みするデータ記憶手段、（ｉｉ）シーンからオーディオ及び／又はビジュアルの内容を感知し、対応するシーンデータコンテンツを発生する感知手段、（ｉｉｉ）シーンの近くにある装置の空間的な位置及び／又はシーンのアイデンティティ（ＩＤ）を識別するのに使用するための識別手段、（ｉｖ）前記データ記憶手段、前記感知手段及び前記識別手段の動作を調整する計算手段を有する記録装置を提供するステップと、
（ｂ）  １以上の空間的な位置及び／又はシーンのＩＤを対応するリンク可能なデータコンテンツと関連付けるために発せられるリンクデータを含むように前記データ記憶手段を調整するステップと、
（ｃ）  所望のシーンに近接して当該装置を作動し、そこからオーディオ及び／ビジュアルの内容を受け、対応する所望のシーンデータコンテンツを生成するステップと、
（ｄ）  前記識別手段を使用して、所望のシーンに近接した当該装置の空間的な位置及び／又は所望のシーンのＩＤを判定するステップと、
（ｅ）  ステップ（ｄ）で判定された空間的な位置及び／又はＩＤに関連するリンクデータにおける１以上のリンクを識別し、それらを、前記ステップ（ｃ）から導出された所望のシーンデータコンテンツ、及び前記ステップ（ｄ）からの空間的な位置及び／又はＩＤの少なくとも１つと共に前記記憶手段に自動的に記録するステップとを含み、
前記１以上のリンクは、最終的な複合的なデータコンテンツを発生するため、シーンデータと対応するリンク可能なデータコンテンツとを含むように同時に、及び／又は続いて発生される、
ことを特徴とする方法。
【請求項２】
前記ステップ（ｄ）で、前記識別手段は、（ｉ）ＧＰＳ衛星により導出されるリファレンス、（ｉｉ）所望のシーンに含まれる、前記シーンの特性に関する情報を当該装置に与えるために構成される１以上の遠隔で通信する装置から供給されるアイデンティフィケーション、及び（ｉｉｉ）所望のシーンデータをシーンアイデンティフィケーションリファレンスデータと相関付け及び／又は関連付けすることによる、前記所望のシーンデータコンテンツの画像及び／又はオーディオ分析、の少なくとも１つを利用することで、前記所望のシーンに近接する該装置の空間的な位置及び／又は前記所望のシーンのＩＤを識別するために構成される、
請求項１記載の方法。
【請求項３】
前記シーンデータコンテンツと自動的に含まれる前記１以上のリンクは、（ｉ）休止し、その後のユーザ要求で作動されること、（ｉｉ）ユーザ要求で作動しており、その後のユーザ要求に休止されること、の少なくとも１つである、
請求項１記載の方法。
【請求項４】
前記１以上のリンクは、自動的に、及び／又はシーンデータコンテンツに含まれるユーザ要求で、たとえば複合データを生成するのが必要とされないときに、続いて消去される、
請求項３記載の方法。
【請求項５】
前記リンクデータ及びその関連するリンク可能なデータコンテンツの少なくとも１つは、少なくとも部分的に暗号化された形式で当該装置に提供され、当該装置は、１以上の復号鍵を使用して、前記暗号化されたリンクデータ及びその関連するリンクデータコンテンツの少なくとも１部を復号するために作用する、
請求項１記載の方法。
【請求項６】
前記１以上の復号鍵は、たとえば支払いといった対応する考慮の代わりに当該装置に提供される、
請求項５記載の方法。
【請求項７】
前記データ記憶手段は、（ｉ）当該装置を利用可能なリンクデータを有する通信ネットワークに結合すること、（ｉｉ）前記記憶手段に記録される少なくともリンクデータを含むデータキャリアを前記記憶手段に導入すること、の少なくとも１つによりリンクデータを受けるために作用する、
請求項１記載の方法。
【請求項８】
前記データ記憶手段は、前記リンクデータ、前記リンク可能なデータコンテンツ、前記所望のシーンデータ及び前記コンポジットデータコンテンツの１以上をそこに記憶するため、（ａ）１以上の光データキャリア、（ｂ）１以上の磁気ハードディスクデータキャリア、及び（ｃ）１以上の固体メモリ装置、の少なくとも１つを有する、
請求項１記載の方法。
【請求項９】
前記記憶手段は、少なくとも１つのデータキャリアが前記リンクデータ及び前記リンク可能なデータコンテンツの少なくとも１つを当該装置に導入するため、当該装置に外部的にアクセス可能であるように配置される、
請求項８記載の方法。
【請求項１０】
前記データキャリアは、スモールフォーマットの光データストレージ（ＳＦＦＯ）ディスクである、
請求項８記載の方法。
【請求項１１】
前記リンクデータは、たとえばインターネットといった通信ネットワークを介してリンク可能なデータコンテンツにアクセスするために発せられる少なくとも１つのＵＲＬ（Universal  Resource  Locator）を含む、
請求項１記載の方法。
【請求項１２】
（ｉ）前記リンクデータ及びその関連されるリンク可能なデータが外部にアクセス可能な第一のデータキャリアの装置に提供され、（ｉｉ）前記リンクデータにおける前記１以上のリンクは、内部で保持される第二のデータキャリアの前記所望のシーンデータコンテンツと共に、前記ステップ（ｅ）で空間的な位置と関連される、
請求項１記載の方法。
【請求項１３】
前記第一のデータキャリアは、ベンダにより供給されるアイテムであり、そのリンクデータ及びその関連されるリンク可能なデータコンテンツは、少なくとも部分的に暗号化された形式であり、より対応する復号鍵の１つを当該装置に供給することでアクセスされ、かかる復号鍵は、たとえば支払い又は他の対価の代わりに取得可能である、
請求項１２記載の方法。
【請求項１４】
前記第一のデータキャリアは、前記リンクデータ及び／又は前記リンク可能なデータコンテンツへのプログレッシブアクセスが、復号鍵のプログレッシブな取得に対応して達成可能であるように、複数の程度で暗号化される暗号化されたリンクデータ及び／又はリンク可能なデータコンテンツを含む、
請求項１２記載の方法。
【請求項１５】
前記リンク可能なデータコンテンツは、補足の画像、映画、サウンド、テキスト及びウェブサイトのうちの少なくとも１つである、
請求項１記載の方法。
【請求項１６】
前記シーンデータコンテンツと関連して１以上のコンテクストに関連したリンクを自動的に含むために作用する装置であって、
当該装置は、
（ｉ）データコンテンツを読取り及び／又は書き込むためのデータ記憶手段と、
（ｉｉ）シーンからオーディオ及び／又はビジュアルの内容を感知し、対応するシーンデータコンテンツを発生する感知手段と、
（ｉｉｉ）前記シーンに近接した当該装置に空間的な位置及び／又は前記シーンのアイデンティティ（ＩＤ）を識別するのに使用するための識別手段と、
（ｉｖ）前記データ記憶手段、前記感知手段及び前記識別手段の動作を調整する計算手段とを有し、
（ａ）前記データ記憶手段は、１以上の空間的な位置を対応するリンク可能なデータコンテンツと関連付けするために発生されるリンクデータを含むように構成され、
（ｂ）当該装置は、対応する所望のシーンのデータコンテンツを生成するため、そこからオーディオ及び／又はビジュアルの内容を受けるために所望のシーンに近接するときに作用し、
（ｃ）前記識別手段は、前記所望のシーンに近接した当該装置の空間的な位置及び／又は前記所望のシーンのＩＤを決定するために作用し、
（ｄ）前記識別手段により決定される空間的な位置及び／所望のシーンのＩＤに関連されるリンクデータにおける１以上のリンクを識別し、それらを、前記感知手段から導出される所望のシーンデータコンテンツ並びに前記識別手段から導出される空間的な位置及び／又はＩＤの少なくとも１つと共に前記記憶手段に自動的に記録するために作用し、
前記１以上のリンクは、同時及び／又はその後に、最終的な複合的なデータコンテンツを発生するため、対応するリンク可能なデータコンテンツをシーンデータと含むために発生される、
ことを特徴とする装置。
【請求項１７】
請求項１記載の方法における前記識別手段に、前記所望のシーンに近接した位置のリファレンス及び／又は前記所望のシーンのアイデンティフィケーションを供給するインフラストラクチャ。
【請求項１８】
請求項１６記載の装置との使用のために、前記所望のシーンに近接した位置のリファレンス及び／又は前記所望のシーンのアイデンティフィケーションを供給するインフラストラクチャ。
【発明の詳細な説明】
【技術分野】
【０００１】
本発明は、コンテンツに関連するリンクを自動的に含む方法に関し、特に、排他するものではないが、本発明は、データコンテンツにおける１以上のイメージ及び／オーディオサンプルが関連する内容と関連付けすることができるように、イメージ及び／オーディオデータコンテンツにおけるコンテンツに関連するリンクを自動的に含む方法に関する。
【０００２】
また、本発明は、当該方法に従って動作可能な装置に関する。  
さらに、本発明は、当該方法に従ってかかる装置が機能するのを可能にするために適したインフラストラクチャを提供するシステムに関する。
【背景技術】
【０００３】
データコンテンツのアイテムを互いにリンクさせることが知られている。データコンテンツは、たとえば、実行可能なソフトウェア、データベース、オーディオデータ及びイメージデータを含むことができる。かかるリンクは、たとえばインターネットといった公知のコンテンポラリネットワークにおいてＵＲＬ（Universal  Resource  Locators）により実現される。ＵＲＬを介して他のウェブサイトにリンクされるインターネットウェブサイトを構築するといった、インターネットの内容を準備するとき、タイプ入力されるテキスト形式でかかるＵＲＬを入力することが通常である。たとえばキーボードを介してのテキスト形式でＵＲＬを含むことは、データコンテンツを迅速に用意するときに実現するのに不便なことがある。
【０００４】
Journal  Pervasive  Computer  pp.1536-1268,  IEEE  CS  and  IEEE  ComSocで公開されたDiomidis  Spenellisによる論文では、典型的なバケーションとリップからのみ処理のデータを色鮮やかなインターネットのウェブサイトに自動的に変換するのに作用するＧＴＷｅｂ（Geotemporal  Web  System）が記載されている。ＧＴＷｅｂは、たとえばトリップオーバビュー、タイムライン、マップ及び注釈された写真を提供するといった目的で、各種消費者グレードの情報機器と公的にアクセス可能なデータベースとを統合することから生じるシナジー（synergy）を利用するために構成される。ＧＴＷｅｂを使用したインターネットウェブサイトを構築することは、フルオートマチックであるとして文献に記載されており、消費者グレードのデジタルカメラからの写真、ハンドヘルドＧＰＳ（Global  Positioning  System）装置及び公的にアクセス可能なコーストライン、トポグラフィー及び新聞データを統合することを含んでいる。これにより形成されたＧＴＷｅｂのウェブサイトは、手動で編集され易く、ホームページを含む。ホームページは、たとえば年代順で提供される、タイムライン、マップ及びフォトグラフギャラリーへのリンクを含むために構成可能でもある。
【０００５】
文献では、かかるＧＴＷｅｂのウェブサイトを構築するときに記録された写真又は画像に関する方向性の詳細を提供するため、デジタルコンパス情報を他の関連する収集されたデータと統合することが実施可能であることが更に開示されており、かかるコンパス情報は、所有権を主張できる現代のＧＰＳレシーバで利用可能である。さらに、文献によれば、かかる方向性の情報は、それぞれの写真又は画像のカメラ回転及び傾斜を検出及び記録するために使用され易い。関心のある特徴を記録するか、イメージベースのハイパーリンクを作成するための３つの角度回転及びレンズ設定のメタデータに属する関連する情報で写真を注釈することが可能である。
【発明の開示】
【発明が解決しようとする課題】
【０００６】
本発明者は、たとえば、パリ市にあるエッフェル塔のようなサイトのデジタル「スナップショット」といった、彼らが訪れた集合地の画像を記録する所有者により現代のデジタルカメラが益々使用されてきていることを理解している。かかる記録された画像は、その後の個人の視聴及び／又は第三者への提供のためのトラベルログへの編集のために、ユーザのデジタルカメラから、たとえばポータブルラップトップコンピュータといったコンピュータ装置にユーザによりダウンロードされることがある。本発明者は、画像に適した関連付けされた記憶されたサブジェクトデータへのリンクを含むことは、それら記録された画像を注釈するときにかかるユーザにとって現在のところ可能である。たとえば、エッフェルタワーの画像は、フランス革命のセンテナリーを記念する１８８９年のパリの国際展示会の歴史の説明を提供するインターネットサイトへのリンクで注釈される。実際に、かかる注釈は、ユーザにより滅多に着手されない。ツアーが行われた後に数ヶ月又は数年でツアーのスナップショットの画像を完全に理解及び／又は第三者に提供することが困難なことがある。
【０００７】
本発明者は、複合的なトラベルレコードを含まれる関連するリンクで提供するため、デジタルイメージカメラの情報をＵＲＬリンク情報及びＧＰＳ位置情報と統合することは可能であると理解しており、また、本発明者は、かかる統合は、実際に便利に達成するのに現在のところ扱い難く、したがって、１以上の画像又は写真を含むデータコンテンツにコンテクストに関連するリンクを自動的に含む便利な方法を考案した。
【０００８】
本発明の第一の目的は、記録されたデータコンテンツにコンテクストに関連したデータリンクを自動的に含む便利な方法を提供することにある。  
本発明の第二の目的は、ユーザのトリップ又はジャーニーのより包括的な記録をそのユーザに提供し易い、たとえば現代のデジタルカメラへのａｋｉｎのような進歩した装置を提供することにある。
【課題を解決するための手段】
【０００９】
本発明の第一の態様によれば、シーンデータコンテンツと関連して１以上のコンテンツに関連したリンクを自動的に含む方法が提供される。当該方法は、以下のステップを含むことを特徴とする。（ａ）  （ｉ）データコンテンツを読取り及び／又は書き込みするデータ記憶手段、（ｉｉ）シーンからオーディオ及び／又はビジュアルの内容（subject  matter）を感知し、対応するシーンデータコンテンツを発生する感知手段、（ｉｉｉ）シーンの近くにある装置の空間的な位置及び／又はシーンのアイデンティティ（ID:  identity）を識別するのに使用するための識別手段、（ｉｖ）データ記憶手段、感知手段及び識別手段の動作を調整する計算手段を有する記録装置を提供するステップ。（ｂ）  １以上の空間的な位置及び／又はシーンのＩＤを対応するリンク可能なデータコンテンツと関連付けるために発生されるリンクデータを含むようにデータ記憶手段を調整するステップ。（ｃ）  所望のシーンに接近して当該装置を作動し、そこからオーディオ及び／ビジュアルの内容を受信して、対応する所望のシーンデータコンテンツを生成するステップ。（ｄ）  識別手段を使用して、所望のシーンに接近した装置の空間的な情報及び／又は所望のシーンのＩＤを判定するステップ。（ｅ）  ステップ（ｄ）で決定された空間的な位置及び／又はＩＤに関連するリンクデータにおける１以上のリンクを識別し、それらを、ステップ（ｃ）から導出された所望のシーンデータコンテンツと、ステップ（ｄ）からの空間位置及び／又はＩＤとの少なくとも１つと共に記憶手段に自動的に記録するステップ。ここで、１以上のリンクは、最終的な複合的なデータコンテンツを発生するために、シーンデータと対応するリンク可能なデータコンテンツを含むように同時及び／又は続いて発生される。
【００１０】
本発明は、コンテクストに関連するデータリンクを組み込んだ更に便利なアプローチを提供することが可能であるといった利点がある。  
好ましくは、本方法のステップ（ｄ）では、識別手段は、以下の少なくとも１つを利用することで、所望のシーンに接近して当該装置の空間的な位置及び／又は所望のシーンのＩＤを識別するために構成される。（ｉ）  ＧＰＳ衛星により導出されるリファレンス、（ｉｉ）  所望のシーンに含まれる１以上の遠隔で通信する装置から供給されるＩＤ（Identification）。この装置は、シーンの特性に関する情報を当該装置に与えるために構成される。及び（ｉｉｉ）所望のシーンデータをシーンアイデンティフィケーションリファレンスデータと相関付け及び／又は関連付けすることによる、所望のシーンデータのコンテンツの画像及び／又はオーディオ分析。  
たとえばデータのマージといった１以上のかかるオプションの使用により、データリンクの自動的な包含の信頼性を改善することができるといった利点がある。
【００１１】
好ましくは、本方法では、シーンデータコンテンツで自動的に含まれる１以上のリンクは、以下の少なくとも１つになる。（ｉ）休止し、その後のユーザ要求で作動される。（ｉｉ）ユーザ要求でアクティブであり、その後のユーザ要求に休止される。  
かかる自動的に挿入されたコンテンツに関連するリンクの優先付けは、装置のユーザが特定の関心又は関連性のシーンを評価するのを支援することができる点である。
【００１２】
好ましくは、本方法では、１以上のリンクは、自動的に、及び／又はシーンデータコンテンツに含まれるユーザ要求で、たとえばコンポジットデータを生成するのが必要とされないときに、続いて消去される。望まれないリンクの消去は、装置のユーザが適切でない及び／望まれないと判断したリンクを除くときに有利である。
【００１３】
好ましくは、本方法では、少なくとも１つのリンクデータ及びその関連するリンク可能なデータコンテンツは、少なくとも部分的に暗号化された形式で本装置に提供され、本装置は、１以上の復号鍵を使用して、暗号化されたリンクデータ及びその関連するリンクデータコンテンツの少なくとも１部を復号するために作用する。暗号化の使用は、リンクデータ及びリンク可能なデータコンテンツのサプライヤがかかるデータを編集することにおいてそれらの作業の支払いを受けることができるメカニズムを提供できるといった利点がある。より詳細には、本方法では、１以上の復号鍵は、たとえば支払いといった対応する対価について装置に提供される。
【００１４】
好ましくは、本方法では、データ記憶手段は、以下の少なくとも１つによりリンクデータを受けるために作用する。（ｉ）本装置を利用可能なリンクデータを有する通信ネットワークに結合する。（ｉｉ）記憶手段に記録される少なくともリンクデータを含むデータキャリアを記憶手段に導入する。
【００１５】
必要とされる場合、これら２つのアプローチ（ｉ）及び（ｉｉ）の組み合わせは、たとえばインターネットといった通信ネットワークからダウンロード可能なスペシャリストの支配権をもつ小さなフォーマットの光ディスクのような標準的なデータキャリアで、より標準的なリンクデータ及びリンク可能なデータコンテンツが提供されるように調整することができる。
【００１６】
好ましくは、本方法では、データ記憶手段は、リンクデータ、リンク可能なデータコンテンツ、所望のシーンデータ及びコンポジットデータコンテンツの１以上をそこに記憶するため、以下の少なくとも１つを有する。（ａ）１以上の光データキャリア、（ｂ）１以上の磁気ハードディスクデータキャリア、及び（ｃ）１以上の固体メモリ装置。より詳細には、記憶手段は、少なくとも１つのデータキャリアがリンクデータ及びリンク可能なデータコンテンツの少なくとも１つを本装置に導入するために本装置に外部的にアクセス可能であるように配置される。たとえば、かかる機能は、様々なデータベンダからデータキャリアで発生される外部データを受信可能な装置にする。より詳細には、コンパクトフォトグラフィックカメラにサイズ的に匹敵する任意のコンパクトアイテムである装置の観点で、データキャリアは、スモールフォーマットの光データストレージ（ＳＦＦＯ）ディスクである。
【００１７】
好ましくは、本方法では、リンクデータは、たとえばインターネットといった通信ネットワークを介したリンク可能なデータコンテンツにアクセスするために発生される少なくとも１つのＵＲＬ（Universal  Resource  Locator）を含む。かかるＵＲＬの使用は、サーチ及びアクセスのためにＵＲＬを利用する現代のデータ通信ネットワーク及びそれらデータリポジトリと更に容易に使用可能である。
【００１８】
好ましくは、本方法では、（ｉ）リンクデータ及びその関連されるリンク可能なデータが外部にアクセス可能な第一のデータキャリアの装置に提供される。（ｉｉ）リンクデータにおける１以上のリンクは、内部で保持される第二のデータキャリアの所望のシーンデータコンテンツと共に、ステップ（ｅ）で空間的な位置と関連される。
【００１９】
より詳細には、第一のデータキャリアは、ベンダにより供給されるアイテムであり、そのリンクデータ及びその関連されるリンク可能なデータコンテンツは、少なくとも部分的に暗号化された形式であり、より対応する復号鍵の１つを装置に供給することでアクセスされやすく、かかる復号鍵は、たとえば支払い又は他の対価について取得可能である。なお、より詳細には、本方法では、第一のデータキャリアは、リンクデータ及び／又はリンク可能なデータコンテンツへのプログレッシブアクセスは、復号鍵のプログレッシブな取得に対応して達成可能であるように、複数の程度で暗号化される暗号化されたリンクデータ及び／又はリンク可能なデータコンテンツを含む。  
有利なことに、本方法では、リンク可能なデータコンテンツは、補足の画像、映画、サウンド、テキスト及びウェブサイトのうちの少なくとも１つである。
【００２０】
本発明の第二の態様によれば、シーンデータコンテンツと関連して１以上のコンテクストに関連したリンクを自動的に含むために作用する装置が提供され、本装置は、以下を有することを特徴とする。（ｉ）データコンテンツを読取り及び書き込むためのデータ記憶手段。（ｉｉ）シーンからオーディオ及び／又はビジュアルの内容を感知し、対応するシーンデータコンテンツを発生する感知手段。（ｉｉｉ）シーン及び／又はシーンのＩＤの近くにある装置の空間的な位置を識別するのに使用するための識別手段。（ｉｖ）データ記憶手段、感知手段及び識別手段の動作を調整する計算手段。ここで、（ａ）データ記憶手段は、１以上の空間位置を対応するリンク可能なデータコンテンツと関連付けするために発生されるリンクデータを含むように構成される。（ｂ）本装置は、対応する所望のシーンのデータコンテンツを生成するため、そこからオーディオ及び／又はビジュアルの内容を受けるために所望のシーンの近くにあるときに作用する。（ｃ）識別手段は、所望のシーン及び／又は所望のシーンのＩＤの近くで装置の空間的な位置を決定するために作用する。（ｄ）識別手段により決定される空間位置及び／所望のシーンのＩＤに関連されるリンクデータにおける１以上のリンクを識別し、それらを、感知手段から導出される所望のシーンデータコンテンツ並びに識別手段から導出される空間的な位置及び／又はＩＤの少なくとも１つと共に記憶手段に自動的に記録する。１以上のリンクは、同時及び／又はその後に、最後の複合データコンテンツを発生するため、対応するリンク可能なデータコンテンツをシーンデータと含むために発生される。
【００２１】
好ましくは、本装置では、識別手段は、以下の少なくとも１つを利用することで、所望のシーン及び所望のシーンのＩＤの近くにある装置の空間的な位置を決定するために作用する。（ｉ）ＧＰＳサテライトで導出されるリファレンス。（ｉｉ）所望のシーンに含まれる１以上の遠隔的なコンピュータ装置から提供されるアイデンティフィケーション。本装置は、シーンの特性に関する情報を装置に与えるために構成される。（ｉｉｉ）所望のシーンデータをシーン識別のリファレンスデータと相関付け及び／又は関連付けすることで、所望のシーンデータコンテンツのイメージ及び／又はオーディオ分析。
【００２２】
好ましくは、本装置では、シーンデータコンテンツと自動的に含まれる１以上のリンクは、以下の少なくとも１つとなる。（ｉ）休止し、その後のユーザ要求で作動される。（ｉｉ）ユーザ要求でアクティブであり、その後のユーザ要求で休止される。
【００２３】
より詳細には、本装置では、１以上のリンクは、自動的及び／又はシーンデータコンテンツと含まれるユーザ要求に応じて、たとえば、コンポジットデータを生成するのに必要とされないときに、その後に消去される。
【００２４】
好ましくは、本装置では、リンクデータ及びその関連するリンク可能なデータコンテンツの少なくとも１つは、少なくとも部分的に暗号化された形式で本装置に供給され、本装置は、１以上の復号鍵を使用して、暗号化されたリンクデータ及びその関連するリンクデータコンテンツの少なくとも１部を復号するために作用する。
【００２５】
好ましくは、本装置では、１以上の復号鍵は、たとえば支払いといった対応する対価について本装置に供給される。  
好ましくは、本装置では、データ記憶手段は、以下の少なくとも１つによりリンクデータを受けるために作用する。（ｉ）利用可能なリンクデータをそこに有する通信ネットワークを装置に結合すること。（ｉｉ）そこに記録される少なくともリンクデータを含むデータキャリアを記憶手段に導入すること。
【００２６】
好ましくは、本装置では、データ記憶手段は、リンクデータコンテンツ、所望のシーンデータ及びコンポジットデータコンテンツの１以上をそこに記憶するため、（ａ）１以上の光データキャリア、（ｂ）１以上の磁気ハードディスクデータキャリア、及び（ｃ）１以上の固体メモリ装置の少なくとも１つを有する。より詳細には、本装置では、少なくとも１つのデータキャリアが、リンクデータとリンク可能なデータコンテンツの少なくとも１つを本装置に導入するため、本装置に外部的にアクセス可能なように、記憶手段が配置される。より詳細には、データキャリアは、スモールフォーマットの光データストレージ（ＳＦＦＯ）ディスクである。
【００２７】
好ましくは、本装置において、（ｉ）リンクデータ及びその関連されるリンク可能なデータは、外部的にアクセス可能な第一のデータキャリアで装置に供給される。（ｉｉ）リンクデータにおける１以上のリンクは、内部的に保持された第二のデータキャリアで所望のシーンデータコンテンツと共に、ステップ（ｅ）で空間的な位置と関連付けされる。
【００２８】
好ましくは、第一のデータキャリアは、ベンダにより供給されるアイテムであり、そのリンクデータ及びその関連するリンク可能なデータコンテンツは、少なくとも部分的に暗号化された形式であり、１以上の対応する復号鍵を装置に供給することでアクセスされやすく、かかる復号鍵は、たとえば支払い又は他の対価について取得可能である。より詳細には、第一のデータキャリアは、リンクデータ及び／又はリンク可能なデータコンテンツへのプログレッシブアクセスが復号鍵のプログレッシブな取得に対応して達成可能であるように、複数の程度で暗号化された、暗号化されたリンクデータ及び／又はリンク可能なデータコンテンツを含む。
【００２９】
本発明の第三の態様によれば、本発明の第一の態様に係る方法における識別手段に所望のシーンの近くにある位置のリファレンス及び／又はシーンのアイデンティフィケーションを供給するインフラストラクチャが提供される。
【００３０】
本発明の第四の態様によれば、本発明の第二の態様に係る装置との使用のために所望のシーンの所望のシーン及び／又はアイデンティフィケーションの近くにある位置のリファレンス及び／シーンアイデンティフィケーションを供給するインフラストラクチャが提供される。
【００３１】
本発明の特徴は、本発明の範囲から逸脱することなしに、いずれかのコンビネーションで結合される。本発明の実施の形態は、以下の図を参照して例示を経由して以下に記載される。
【発明を実施するための最良の形態】
【００３２】
本発明は、１以上の写真及び／又はビデオ記録及び／又はオーディオ記録において、たとえばＵＲＬ（Universal  Resource  Locator）といったリンクを自動的に挿入するコンセプトをもつ少なくとも１つのその実施の形態に関する。さらに、リンクは、１以上の写真及び／又はビデオ記録及び／又はオーディオ記録に関するその後の視聴又はプレゼンテーションで補足の情報を識別するために実行可能である。補足情報は、補足の画像、映画、音声、テキスト、及びユーザにより訪問される１以上のロケーションに適切であって、そこで画像を取得するためにユーザが彼／彼女のカメラを利用する他のウェブサイトの少なくとも１つを含むことが好ましい。慣習的に、補足情報は、“Portable  Blue”ディスクとも呼ばれるスモールフォーマットの光データストレージディスク（ＳＦＦＯ）といった、コンパクトデータキャリアでユーザに提供される。任意に、ユーザは、前もってストレージディスクを払っている。代替的に、ストレージディスクは、無料で発行され、ユーザは、ストレージディスクの記録されたデータコンテンツにアクセスする料金を支払う義務がある。
【００３３】
データキャリアは、コンパクトデータキャリアの供給者に対応する料金の支払いについて、様々な程度のアクセス権を得ることができる実質的なデータ量がそこに記録される。そこから画像を記録するために様々な旅行の集合地で関連するデジタルカメラを使用する旅行者であるユーザのケースでは、コンパクトデータキャリアは、旅行情報のショップ、旅行代理店及びライブラリのようなベンダから便利に発生することができる。
【００３４】
上述されたＧＴＷｅｂによる問題は、たとえばＵＲＬといったリンクによりアクセス可能な記録された画像を注釈するために必要とされる情報が散乱されることにある。さらに、リンクにより識別される情報は、常に全体的に関連するものではなく、したがって、不適切であって、及び／又は第三者による視聴のための最後の編集で混乱させる。さらに、適切なリンク及びそれら関連するデータコンテンツを識別することは、ユーザにより前もって考慮されない限り、潜在的に時間を消費し、困難なことである。したがって、上述されたＧＴＷｅｂは有益な構成に見えるが、多くの潜在的なユーザにとって実施不可能である。
【００３５】
本発明者は、かかる実施不可能性が、自動的に取得され、記録された画像系列ファイルにおける１以上の適切な位置に挿入される、たとえば１以上のＵＲＬといった１以上のリンクを含むことで対処可能であることを理解している。有利なことに、かかる自動的な挿入は、たとえば、１以上のかかるリンクを含むようにユーザの装置をトリガする、ワイヤレスローカルエリアネットワーク（ＬＡＮＳ）及び／又はワイヤレスワイドエリアネットワーク（ＷＡＮＳ）装置といった位置識別情報によりトリガされる。代替的に、又は付加的に、１以上のリンクを自動的に含むことは、ユーザ装置のＧＰＳリファレンスからトリガされる。更なるオプションとして、シーンに向けられるそれらの装置に指示するユーザがシーンから受信された画像を相関付けし、１以上の参照画像と比較及び／又は関連付けする装置が得られるように、ユーザの装置には、画像認識機能が設けられる。観察された画像と参照の画像の相関及び／又は関連付けが行われる場合、ユーザの装置は、たとえば適切なＵＲＬといった関連するリンクを自動的に含むために構成される。
【００３６】
ユーザが所与のシーンに向けてそれらの装置に指示するとき、ユーザは、シーンに向けてそれらの装置に指示しつつ、たとえば「リンクインサート“link  insert”」スイッチを押すことで、１以上のリンクをオンデマンドで挿入することができる。ユーザがオンデマンドで挿入されるべき１以上のリンクを要求するのを選択しないとき、本装置は、たとえば記録された画像の内容の後続する再生及び／又は挿入で後に確認されるか、又は必要とされない場合に後に消去されるリンクを自動的に挿入する。かかるリンクの自動的な挿入は、かかる装置を、たとえば上述において解説されたようなＧＴＷｅｂといったリンク挿入の現在公知のスキームよりも実際に使用するのにかなり容易にする。
【００３７】
本発明の実施の形態を更に解説するため、図１〜図４の内容が以下に説明される。  
図１では、参照符号１０で概念的に示されるカメラ装置が示されている。装置１０は、本発明に係るコンテクストに関連したリンクを自動的に含む方法の実現での使用に適している。本方法を実現するため、装置１０は、たとえば、パリのエッフェル塔のような有名なシーンといった、上の矢印（ＦＳ）により表されるシーンの１以上の画像及び／又は関連するオーディオコンテンツを記録するために作用する。装置１０は、たとえば出射形成されるプラスティック材料から製造されるエクステリアプロテクトケースを含んでおり、これに、画像を表示する小型の液晶ディスプレイ（ＬＣＤ）４０及びユーザ２０への情報を処理する他の装置に結合されるマイクロプロセッサ（ＣＰＵ）３０が搭載される。さらに、装置１０は、装置１０の空間的な位置の基準を動作中に判定することに使用するためのグローバルポジショニングシステム（ＧＰＳ）レシーバ５０を更に有しており、レシーバ５０は、これに位置の基準の座標を供給するためにマイクロプロセッサ３０に結合される。さらに、装置１０は、ワイヤレスローカルエリアネットワーク（ＬＡＮ）、自動車電話におけるワイヤレスサイドエリアネットワーク（ＷＡＮＳ）、及びＢｌｕｅ−Ｔｏｏｔｈに互換性のある装置のような無線周波数のタグタイプの装置（ＲＦＩＤ）の１以上とマイクロプロセッサ３０通信するのを可能にするため、マイクロプロセッサ３０に接続されるワイヤレスインタフェース６０を含む。
【００３８】
装置１０が使用中に向けられる方向にシーンの画像の１以上の記録を行うため、装置１０は、たとえば、現代のデジタルカメラで利用されるような画素マトリクス電荷結合素子（ＣＣＤ）といった画素アレイ光センサ７０を有する。光センサ７０と関連付けされるのは、センサ７０にシーンの現実の画像（ＦＳ）を投影するための可変ズームの拡大構成で任意に配置される１以上のレンズを有する、光学的な画像形成アセンブリ８０である。任意に、アセンブリ８０は、マイクロプロセッサ３０と共に作用するオートアイリス露出制御機能及び／又はオートフォーカス制御を含む。さらに、装置１０は、たとえば、スモールフォーマットの光メモリディスクデータキャリア（ＳＦＦＯ）を利用するコンパクト光ディスクストレージドライブといった、内部メモリストレージ装置（ＤＲＶ）１００を有する。好ましくは、ストレージ装置１００は、オランダにおけるＰｈｉｌｉｐｓ社により開発された光ディスクストレージメディアのプロプライエタリの“Ｐｏｒｔａｂｌｅ−Ｂｌｕ”タイプにおけるような、実質的な青色波長の放射を利用する光ディスクドライブである。ドライブ１００は、たとえばスモールフォーマットの光ディスクデータキャリア（ＳＦＦＯ）といった外部的にアクセス可能な取り外し可能なデータキャリア１２０を収容するための構成と共にドライブ１００に永続的に保持される、スモールフォーマットの光ディスクデータキャリア１１０を含むように構成されることが好ましい。さらに、装置１０は、たとえばマイクロプロセッサ（ＣＰＵ）３０及びドライブ（ＤＲＶ）１００といった、装置１０の電子的なサブコンポーネントに電力（ＰＷＲ）を供給するための再充電可能なリチウムバッテリ及び／又はニッケル−メタルハロゲン化物バッテリといった、内部の電力源（ＢＴ）１３０を含む。最後に、装置１０は、シーン（ＦＳ）に装置１０の光アセンブリ８０を向けたとき、ユーザを保持するのに適したハンドグリップ１４０をその外部をエンクロージャの一部として含む。さらに、ハンドグリップ１４０は、ユーザマイクロプロセッサ３０に接続されるユーザが作動可能なスイッチアレイ１５０を含む。スイッチアレイ１５０は、更に詳細に後に記載されるように特にデータキャリア１１０で、１以上の画像及び／又はビデオ画像系列がドライブ１００に記録されることになるのをマイクロプロセッサ３０に指示し、シーン（ＦＳ）に関連する１以上のリンクがドライブ１００で記録されるべきことをオンデマンドで選択するため、光アセンブリ８０により供給される光ズームを調節するための幾つかのスイッチボタンを含む。
【００３９】
図１に例示される装置１０の動作は、図２を参照して概念的に記載される。  
旅行を行う前に、ユーザ２０は、旅行の情報の小売店及び／又は旅行代理店に訪れ、購入するか、又はたとえばディスク１２０といったスモールフォーマットの光ディスク（ＳＦＦＯ）を取得する。たとえばディスク１２０には、ＵＲＬ（Universal  Resource  Locator）、及び／又はマップ、画像、写真、ビデオクリップ、１以上の歴史的なデータに適したナレーションのような事実に基づいたデータといったデータコンテンツといったリンクデータが記録されている。ディスク１２０は、ヨーロッパ、アフリカ、北アメリカ、南アメリカ、南アフリカ、アジアといった範囲に及ぶ、潜在的に大きな範囲の可能な旅行の所在地に関連する広い種類のデータを含む標準的に製造されるアイテムであることが好ましい。さらに、ディスク１２０に記録されたデータは、好ましくは、ディスク１２０に記録されたデータのベンダにのみ利用可能な１以上の秘密の暗号化鍵を使用して、少なくとも部分的に暗号化された形式である。さらに、たとえば支払い又は他の考慮の形式の代わりに、ベンダは、１以上の秘密の暗号化鍵の補足的な１以上の公開の復号鍵を提供し、１以上の公開の復号鍵は、１以上の秘密鍵からユーザが導出可能ではなく、１以上の秘密の暗号化鍵は、１以上の公開の復号鍵からユーザが導出可能ではない。したがって、ディスク１２０に記録されるデータは、秘密−公開鍵の暗号化及び関連する復号を受ける。
【００４０】
したがって、ディスク１２０は、実質的に無料で発行されることが好ましく、ユーザは、ディスク１２０のユーザデータに選択的にアクセスするための１以上の公開の復号鍵を受けるための料金を支払う。公開の復号鍵は、異なるやり方でディスク１２０のユーザデータにアクセスするため、ユーザ２０により使用される。たとえば、１つの例となる公開の復号鍵は、ディスク１２０に暗号化された形式で記録されるマップデータにアクセスするためにユーザ２０により利用可能である。別の例示的な公開の復号鍵は、たとえば最適な太陽の光の条件でのかかる所在地のショットの写真画像といった、ディスク１２０に暗号化された形式で記録されている様々な歴史的及び／又は旅行のサイトであって、たとえば正常のアクセス不可能な視聴のギャラリー、タワー又はバルコニーといった、特に有利及び／又は美的な喜ばしいビューイングからの画像を復号、従ってアクセスするために採用可能である。更に別の例の公開の復号鍵は、たとえば、特にこれらの集合地及びそれら関連される停止の仕様での音楽のパイプオルガンに関する様々な地理的な領域を通した教会の集合地といった、関心のある特定の分野に適したディスク１２０の暗号化されたデータコンテンツを復号、従ってアクセスするために採用可能である。かかる関心のある特定のフィールドは、たとえば欧州における教会の集合地といった、任意に地理的に制限され、教会の集合地が大聖堂として分類されるか否かのような他の基準に更に制限することができる。したがって、ユーザ２０がディスク１２０の暗号化されたデータへのアクセスを得ることができる程度は、ベンダにユーザ２０からの支払いの代わりにディスク１２０のベンダからユーザ２０に供給される１以上の復号鍵により決定される。任意に、ディスク１２０は、１以上の公開の復号鍵へのアクセスを取得する必要なしに、ユーザ２０にとって自由に利用可能なデータコンテンツを含む。かかる自由に利用可能なデータコンテンツは、広告されたデータコンテンツがディスク１２０に暗号化された形式で既に含まれていることにユーザ２０が気付く必要なしに、更なるデータコンテンツの潜在的な利用可能性をユーザ２０に通知する１以上の広告をユーザ２０にディスプレイ４０で表示するため、マイクロプロセッサ３０で実行可能である。
【００４１】
必要とされる場合、ディスク１２０のデータコンテンツを復号する１以上の公開鍵は、たとえば年間（annuities  and/or  annual）加入の支払いに左右して実際に時間制限される。代替的に、支払いの代わりに受信された１以上の鍵は、時間的に制限されていない期間、すなわち供給される公開鍵がセキュリティを拡張するためにディスク１２０のコンテンツを復号した後にそれ自身を即座に破壊する「ワンスオフ“once  off”」ペイメントからなる。好ましくは、１以上の公開の復号鍵は、たとえば上述された旅行のインフォメーションオフィスで、ワイヤレスインタフェース６０を通した短距離の無線通信を介して装置１０に伝達される。代替的又は付加的に、１以上の公開の復号鍵は、たとえば電話モデム（図示せず）を通して、ネットワークに装置１０を結合することで、インターネットのような公的な通信ネットワークを介して装置１０に伝達される。装置１０で受信された１以上の公開の復号パスワードは、マイクロプロセッサ（ＣＰＵ）３０の固体の不揮発性メモリ、及び／又はたとえばディスク１１０のディスクドライブ１００に記憶されることが好ましい。
【００４２】
購入の後、又はフリーハンドアウトのディスク１２０として受け、１以上の対応する公開の復号鍵を購入した後、ユーザ２０は、ディスク１２０をドライブ（ＤＲＶ）１００に挿入し、たとえば参照符号３００により一般的に図２に示される有名なサイトといったシーン（ＦＳ）を訪ねるために旅行に出発する。装置１０でのシーン（ＦＳ）の観点でその方向に向けられたとき、ユーザ２０は、シーンの画像を光センサ７０の光アセンブリ８０により投影させるために少なくとも１つのスイッチ（ＳＷ）１５０を押す。センサ７０は、画像の画素データをマイクロプロセッサ（ＣＰＵ）３０に出力するために作用し、次いで、マイクロプロセッサは、センサ７０に投影される画像に対応する画像をディスプレイ４０でユーザ２０に提供する。ユーザ２０がディスプレイ４０に表示される画像を記録するのを望む場合、ユーザ２０は、マイクロプロセッサ３０がディスク１１０にセンサ７０に投影される画像に対応するデータコンテンツを記録するために作用することに応答して、別のスイッチ１５０を押し、データコンテンツは、１以上のデジタル画素の画像及び／又はかかる画像のビデオ系列の形式であることが好ましい。さらに、ディスク１１０における記憶容量の有効な使用を提供するため、１以上の画像及び／ビデオ系列は、たとえば現代のＭＰＥＧ及び／又はＪＰＥＧ符号化を通して、コンパクトな符号化された形式でディスク１１０に記録される。ディスク１１０に光センサ７０から供給されるデータを記録する間、マイクロプロセッサ３０は、レシーバ（ＧＰＳ）５０を介して、図２における参照符号３１０により示される複数の衛星からの装置１０の対応する地理的な衛星のＧＰＳリファレンスを決定するために作用することができ、好ましくは、かかるリファレンスは、装置１０の視聴方向を示すコンパスの指向情報を含む。装置１０は、センサ７０からの画像データのみでなく、ＧＰＳリファレンスをもディスク１１０に記憶するために作用し、現代のＧＰＳ位置センシングは、装置１０の実際の位置の数十メートルに位置の精度を提供し、装置１０は、光センサ７０から導出されたデータと共に、かかるＧＰＳ位置基準情報を記録するために任意に構成される。装置の視角もディスクに記憶される場合がある。
【００４３】
装置１０は、そのワイヤレスインタフェース６０を介して、ローカルの無線トランスポンダから、たとえばシーン（ＦＳ）内に強制されずに位置されるトランスポンダ３２０への送信を受け、たとえばシーンのオブジェクトがＲＦタグを組み込む場合がある。最も便利なことに、トランスポンダ３２０は、プロプライエタリのＢｌｕｅ  Ｔｏｏｔｈ  ＲＦＩＤタグへの短距離の通信装置ａｋｉｎであり、代替的に、トランスポンダ３２０は、たとえばインターネットのようなパブリックネットワークと通信するのに結合されるノードといったＷＡＮ又はＬＡＮのノードとすることができる。トランスポンダ３２０は、シーン（ＦＳ）のアイデンティティを識別するために装置１０により使用可能な情報で変調される無線周波数の放射線を放射するために構成される。かかるトランスポンダ３２０が存在するとき、装置１０は、任意に、センサ７０からの関連される画像データと共にディスク１１０のかかるＩＤ情報を記録するために作用し、かかる記録は、更に詳細に後に明らかにされる。
【００４４】
更なるオプションとして、装置１０は、ある程度の画像解析を実行する。ディスク１２０の秘密鍵の暗号化されたデータコンテンツへのアクセスを可能にする１以上の復号鍵をユーザ２０が支払ったとき、１以上のかかる鍵は、シーン（ＦＳ）の標準的な参照画像へのアクセスを提供することが好ましく、参照画像は、画像認識の目的でセンサ７０に投影される画像との相関及び／又は関連付けに適した形式からなる。かかる画像認識は、マイクロプロセッサ（ＣＰＵ）３０で実行するソフトウェアで実行されることが好ましい。
【００４５】
したがって、装置１０は、シーン（ＦＳ）の特性のより高い確かさを得るため、ＧＰＳレシーバ５０、ワイヤレスレシーバ６０を介してトランスポンダ３２０、装置１０での時間基準、並びに画像認識相関及び／又は関連付けの少なくとも１つからの識別データをマージ可能である。好ましくは、識別データの少なくとも１部は、ディスク１１０に記録される。シーン（ＦＳ）の識別は、複数の識別子を通して行われる。これは、装置１０の動作の信頼性は、たとえばＧＰＳが利用不可能な場合、信頼できないか不正確な状況でエンハンスされるためであり、自動化されたコンテクストに関連したリンクの挿入の信頼性は、エンハンスされる。
【００４６】
センサ７０から導出された１以上のシーン（ＦＳ）の画像に対応する画像データがディスク１１０で記録されるたびに、マイクロプロセッサ３０は、ディスク１２０で提供されるたとえばＵＲＬといった１以上の対応するリンクを識別するためのサイトのアイデンティフィケーションを使用し、ディスク１１０に記録されたセンサ７０から導出された画像データにかかるリンクを自動的に挿入するために作用する。オンデマンドで１以上のリンクを挿入するのを選択するためにスイッチ１５０のなかにあるスイッチを押していないとき、たとえばディスク１１０の記録されたイメージデータがその後に見直しするときのその後の確認のため、好ましくはリンクが休止しているように、装置１０は、記録されたイメージデータにより包含するため、ディスク１２０からディスク１１０への対応する識別されたリンクデータを自動的にコピーする。逆に、ユーザ２０がオンデマンドでリンクを挿入するのを選択するためにスイッチを押したとき、装置１０は、確認されたやり方、すなわち休止しないやり方で、リンクデータをディスク１１０の記録されたイメージデータに含めるために作用する。ユーザ２０は、その後の見直しでディスク１１０に記録された確認されたリンクデータを任意に選択的に削除することができる。
【００４７】
上述されたリンクデータは、幾つかの相互に異なるタイプからなる。第一のタイプのリンクデータは、たとえば暗号化された形式で、ディスク１２０にローカルにある利用可能なデータへの１以上のリンクを提供する。第二のタイプのリンクデータは、インターネットのような公衆ネットワークを通して利用可能な１以上のリンクを提供する。しかし、ディスク１２０は、両方のタイプのリンクを含むように構成されるのが好ましい。任意に、所定のカテゴリのリンクは、ディスク１２０で暗号化された形式とすることができ、１以上の適切な公開の復号鍵を受けるための料金の支払いについてユーザ２０にアクセス可能である。所定の暗号化されたリンクへのアクセスが前に得られていないケースでは、かかる暗号化されたリンクは、センサ７０からの画像データと関連してディスク１１０に記録されるデータに含まれないか、又は関連される公開の復号鍵の料金の支払いへのその後の過去を振り返ったアクセスのために、暗号化されたフォームでディスク１１０に記録される。かかるリンクの包含は、装置１０の動作のモードを設定するときにユーザが選択可能であることが好ましい。
【００４８】
つぎに図４を参照して、ディスク１１０に記録された画像データ及び関連するリンクデータのフォーマットが例示されており、フォーマットは、参照符号４００により示される。マイクロプロセッサ３０で処理される光センサ７０からの画像データは、たとえばＪＰＥＧ画像符号化及び／又はＭＰＥＧ画像符号化におけるように、データ圧縮となる符号化された形式で記録されることが好ましい。したがって、第一及び第二の画像に対応する画像データを符号化することは、符号化された圧縮されたデータフィールドＪＰＥＧ  ＦＰ１及びＪＰＥＧ  ＦＰ２としてのフォーマットで記録される。データフィールドのそれぞれ関連されるのは、参照データフィールドで関連付けされ、たとえば、データフィールドＩＩ４１０は、データフィールドＪＰＥＧ  ＦＰ１と共に含まれる。さらに、フォーマット４００は、リンクデータがユーザ２０によりオンデマンドで挿入されているか否かに関する関連付けされるインジケータと共に、上述された自動的に挿入されたリンクデータＡＩＬ  ４２０を含む。
【００４９】
ディスク１１０への画像データの系列の記録の完了後、ユーザ２０は、図４に例示されるような拡張されたフォーマットにおけるフォーマット４００でデータを処理するため、たとえばスイッチ１５０により、装置１０を設定することができ、拡張されたフォーマットが参照符号６００により一般的に示されている。リンクデータＡＩＬ４２０が拡張された場合、たとえば符号化された圧縮された画像データＪＰＥＧ  ＦＰ１及びＪＰＥＧ  ＦＰ２のそれぞれと関連付けされたＬＮＫ  ＩＮＦＯ１及びＬＮＫ  ＩＮＦＯ２といった拡張されたリンク情報６１０を生じる。自動的に及び／又はオンデマンドでディスク１１０に記録されるリンクがディスク１２０に記録されるデータコンテンツにリンクするとき、装置１０は、たとえばインターネットといった外部ネットワークへのアクセスなしに図３及び図４に例示されるようなリンクデータの拡張を実行可能である。しかし、記録されるリンクデータは、装置１０の外部のデータコンテンツを示す場合、たとえば、そこからラップトップコンピュータにデータをダウンロードすることで、装置１０はかかる外部データコンテンツのリポジトリに結合されるか、又は、図３及び図４に例示されるような再フォーマット化が装置１０の外部で実行される。好ましくは、ディスク１２０が取り除かれ、たとえばディスク１１０がデータで飽和されるのを防止するためのその後のアーカイブのため、別の対応するタイプの書換え可能な光ディスクがディスク１１０からコピーされたデータを受けるためにドライブ１００に挿入されるように、ドライブ１００が構成される。したがって、ドライブ１００は、１以上のディスク１００，１２０からのデータを読取るだけでなく、１以上の他のかかるディスクを書き込むことが可能な読取り／書込み光ドライブが好ましい。
【００５０】
上述された内容で記載されたように、リンクデータは、ディスク１１０に記録された１以上の画像及び／又はビデオ系列のその後の検討でユーザ２０により確認又は消去される。さらに、データリンクは、限定されるものではないが、更なる画像、オーディオデータ、実際のデータ、並びにマップ及びスケッチのような図解的なデータを含めた内容に関連することができる。したがって、装置１０のスイッチ１５０を適切に動作する間でも、原理的な旅行者のサイトからの画像の系列を記録するため、装置１０を利用し、たとえばパリへの週末旅行といった休日に旅行するためにディスク１２０のコピーを購入したユーザ２０にとって実施可能である。旅行からの戻りで、ユーザ２０は、たとえば、ロイヤリティ（royalty）、アーティスト（artist）、アーキテキツ（architects）、ベネファクタ（benefactors）に付属の歴史的なデータ、並びにかかるサイト及び関連するマップといった、各種バックグランドデータによる動画のオーディオ／ビジュアルのプレゼンテーションをつくるために自動的に挿入、及び／又はユーザの要求で挿入される様々なリンクを発動、消去、又は休止を保持することができる。さらに、拡張された形式で記録された画像を提供する開始で、画像及びリンクデータコンテンツセレクションパラメータを選択することで、一方でゴシック調の教会のアーキテクチャ、又は他方でフレンチ印象派のアーティストといった、旅行の特定の態様への特定の強調でパリへの旅行のアカウントを与えることはユーザ２０にとって可能である。
【００５１】
上述した内容で記載された本発明の実施の形態は、特許請求の範囲により定義された本発明の範囲から逸脱すること無しに変更されることを理解されたい。  
好ましくは、バッテリ１３０は、たとえば高周波空心変圧器の結合により、バッテリ１３０に接続される充電回路に誘導的に結合されるバッテリ充電装置に装置１０を搭載することで再充電可能である。
【００５２】
ワイヤレスインタフェース６０は自動的に挿入されたリンクを発動する装置１０に応答して、データコンテンツを迅速に供給可能な場合、関連付けされたリンクされたマテリアルによるディスク１１０の記録された画像データの拡張は、光センサ７０に提供される１以上の画像の取得の間に実時間で実現可能である。必要とされる場合、１以上の記録された画像の見る人のその後の要求で発生できない自動的に挿入されるリンクと関連付けされる内容をもつ１以上の画像の対話的な視聴を提供するように、内容及び／又は他の基準により、たとえば年代順に複数のサーチルートを介して１以上の記録された画像を通した対話的なサーチにより、自動的に挿入されるリンクは、ディスク１１０の１以上の画像において休止することができる。
【００５３】
また、装置１０は、光センサ７０からの画像記録に類似するやり方でディスク１１０のオーディオコンテンツ記録のマイクロフォンを含む。任意に、ディスク１２０で提供される参照画像に関してマイクロプロセッサ３０により行われる画像認識に類似したやり方で、かかるオーディオコンテンツは、「エッフェル塔」のような特定の口頭の表現について分析される。たとえば、ＧＰＳレシーバ５０により供給される地理的なリファレンスがマイクロプロセッサ３０により識別されるかかる口頭の表現と相関するとき、及び／又はマイクロプロセッサ３０により識別されるかかる口頭の表現と密に関連付けすることができるとき、装置１０は、ディスク１１０に記録するとき、関連付けされた関連するリンクデータとを挿入するために構成され、これにより、口頭の表現は、ＧＰＳリファレンスに確認を供給し、自動的に挿入されたコンテクストに関連するリンクが適切であることの高い程度の確かさを供給する。
【００５４】
任意に、ディスク１２０は、読取り／書込み光ディスクとなるように構成することができ、その関連付けされる光センサ７０及び／又はオーディオセンサ（図示せず）からマイクロプロセッサ３０により供給される符号化された圧縮された画像及びオーディオデータを受けるためのブランクデータフィールドが設けられ、さらに、自動的に挿入されたコンテクストに関連するデータリンクは、ディスク１２０に含まれるリンク可能なデータのみに制限することができる。かかる状況では、ディスク１２０にユーザ２０により記録される１以上の画像に実質的に関連されない暗号化された更なるリンク可能なデータコンテンツをディスク１２０が含む事実は、ディスク１２０がユーザ２０の画像を記録するために必要とされるよりも著しく多くの容量を有するときに無関係である。ユーザ２０は、ユーザ２０が訪れる１以上の集合地にカスタマイズされるディスク１２０の幾つかのライブラリを編集することができる。
【００５５】
たとえば図１に示されるようなカメラ装置１０は統合された装置、その部材がエクステリアプロテクティブケースに収容されるとして上述した内容で記載されたが、装置１０を複数のローカルに相互接続された部材に小分割することで潜在的にユーザウェアラブルとすることができることが考えられる。さらに、かかる相互接続は、個人的にローカルのワイヤレスローカルエリアネットワークの方式で短距離の無線通信により達成される。たとえば、装置１０は、現代のＢｌｕｅ  Ｔｏｏｔｈ規格に準拠したミニチュアの無線トランシーバにより相互接続される複数のユーザウェアラブルなモジュールに配置され、たとえば、ドライブ１００は、ポケット装置又はベルトウォーン装置として実現される。
【００５６】
上述した内容では、ドライブ１００は、光データストレージ装置として記載される。しかし、本発明者は、たとえばミニチュア磁気ハードディスク及び固体メモリといった、他のタイプのデータストレージ装置が付加的又は代替的に利用することができることを考える。
【００５７】
上述した内容に関して、特許請求の範囲に関して、「有する“comprise”」、「含む“include”」、「組み込む“incorporate”」、「含む“contain”」、「〜である“is”」及び「有する“have”」のような表現は、排他するものではないと解釈されることが意図され、すなわち明示的に開示されない他のアイテム又はコンポーネントが存在するのを許容する。
【図面の簡単な説明】
【００５８】
【図１】本発明の方法との使用に適した装置を例示する図である。
【図２】本装置が使用中に利用される例示的な構成を説明する図である。
【図３】図１の装置が関連するリンクを自動的に挿入可能である画像系列を例示する図である。
【図４】図３に示された自動的に挿入されたリンクにより識別されるように挿入される内容による画像系列を例示する図である。
【図１】
2007528056.tif 000003
【図２】
2007528056.tif 000004
【図３】
2007528056.tif 000005
【図４】
2007528056.tif 000006
【国際調査報告】
2007528056.tif 000007
2007528056.tif 000008
2007528056.tif 000009